【手続補正書】
【提出日】平成18年5月30日(2006.5.30)
【手続補正１】
【補正対象書類名】明細書
【補正対象項目名】特許請求の範囲
【補正方法】変更
【補正の内容】
【特許請求の範囲】
【請求項１】  物体側より順に、負の屈折力を有する第１群と、正の屈折力を有する第２群と、正の屈折力を有する第３群とからなり、無限遠物点合焦時に広角端から望遠端に変倍する際は、前記第２群と前記第３群の間隔が大きくなり、前記第３群を物体側に繰り出すことでより近距離の被写体に合焦することが可能なズームレンズであって、
前記第２群が、物体側から順に、１枚の正レンズ２ａ、１枚の負レンズ２ｂ、少なくとも１枚のレンズを含むレンズ群２ｃよりなり、前記第３群が正レンズ１枚よりなり、以下の条件を満たすズームレンズを有することを特徴とする電子撮像装置。
(1)     ０．０４＜ｔ2N／ｔ2 ＜０．１８
(2)     −０．５＜ｆ2a／ｆ2c＜１．１
だだし、ｔ2Nは、第２群の物体側正レンズ２ａの像側の面から第２群の負レンズ２ｂの像側の面までの光軸上の距離、ｔ2 は、第２群の物体側正レンズ２ａの物体側の面からレンズ群２ｃの最も像側の面までの光軸上での距離、ｆ2aとｆ2cは、それぞれ第２群の物体側正レンズ２ａとレンズ群２ｃの空気中の焦点距離である。
【請求項２】  物体側より順に、負の屈折力を有する第１群と、正の屈折力を有する第２群と、正の屈折力を有する第３群とからなり、無限遠物点合焦時に広角端から望遠端に変倍する際は、前記第２群と前記第３群の間隔が大きくなり、前記第３群を物体側に繰り出すことでより近距離の被写体に合焦することが可能なズームレンズであって、
前記第２群が、物体側から順に、１枚の正レンズ２ａ、１枚の負レンズ２ｂ、１枚のレンズからなるレンズ群２ｃよりなり、前記第３群が正レンズ１枚よりなり、以下の条件を満たすズームレンズを有することを特徴とする電子撮像装置。
(1)     ０．０４＜ｔ2N／ｔ2 ＜０．１８
(2)     −０．５＜ｆ2a／ｆ2c＜１．１
だだし、ｔ2Nは、第２群の物体側正レンズ２ａの像側の面から第２群の負レンズ２ｂの像側の面までの光軸上の距離、ｔ2 は、第２群の物体側正レンズ２ａの物体側の面からレンズ群２ｃの最も像側の面までの光軸上での距離、ｆ2aとｆ2cは、それぞれ第２群の物体側正レンズ２ａとレンズ群２ｃの空気中の単体焦点距離である。
【請求項３】  前記第２群のレンズ群２ｃが非球面を含み、前記第３群が球面のみ、又は、以下に示す条件を満たす非球面を有するズームレンズを有することを特徴とする請求項１又は２記載の電子撮像装置。
(3)     abs （ｚ）／Ｌ＜１．５×１０-2
だだし、 abs（ｚ）は、光軸より０．３５Ｌの高さでの第３群の非球面の光軸上の曲率半径を有する球面からの光軸方向への偏倚量の絶対値、Ｌは有効撮像面の対角長である。
【請求項４】  以下の条件を満たすズームレンズを有することを特徴とする請求項１から３の何れか１項記載の電子撮像装置。
(4)     （Ｒ2c1 ＋Ｒ2cr ）／（Ｒ2c1 −Ｒ2cr ）＜−０．４
(5)     −１．１＜（Ｒ31＋Ｒ32）／（Ｒ31−Ｒ32）＜１．５
ただし、Ｒ2c1 、Ｒ2cr は、それぞれ第２群の像側のレンズ群２ｃの最も物体側の面と最も像側の面の、Ｒ31、Ｒ32は、第３群の物体側から１番目と２番目のレンズ面のそれぞれの光軸上の曲率半径である。
【請求項５】  前記第２群のレンズ２ａとレンズ２ｂが接合されているズームレンズを有することを特徴とする請求項１から４の何れか１項記載の電子撮像装置。
【請求項６】  以下の条件を満足するズームレンズを有することを特徴とする請求項５記載の電子撮像装置。
(6)     −１．５＜｛（Ｒ2a1 ＋Ｒ2a2 ）・（Ｒ2b1 −Ｒ2b2 ）｝
／｛（Ｒ2a1 −Ｒ2a2 ）・（Ｒ2b1 ＋Ｒ2b2 ）｝＜−０．６ただし、Ｒ2a1 、Ｒ2a2 、Ｒ2b1  (＝Ｒ2a2 ) 、Ｒ2b2 は、それぞれ第２群のレンズ２ａの物体側、像側、レンズ２ｂの物体側、像側の光軸上の曲率半径である。
【請求項７】  前記第２群のレンズ２ａの物体側の面に非球面を有するズームレンズを有することを特徴とする請求項１から６の何れか１項記載の電子撮像装置。
【請求項８】  前記第１群は、物体側から順に、２枚以下の負レンズからなる負レンズ群と１枚の正レンズからなる正レンズ群とからなり、前記負レンズ群の中少なくとも１枚の負レンズは非球面を含み、以下の条件を満足することを特徴とする請求項１から７の何れか１項記載の電子撮像装置。
(7)     −０．１＜ｆW ／Ｒ11＜０．４５
ただし、Ｒ11は、第１群の物体側から１番目のレンズ面の光軸上の曲率半径、ｆW は、ズームレンズ全系の広角端（無限遠物点）の焦点距離である。
【請求項９】  以下の条件を満足するズームレンズを有することを特徴とする請求項８記載の電子撮像装置。
(8)     ０．１３＜ｄNP／ｆW ＜１．０
ただし、ｄNPは、第１群の負レンズ群と正レンズ群の光軸上での空気間隔である。
【請求項１０】  前記第１群は、物体側から順に、１枚の正レンズと２枚の負レンズと１枚の正レンズとからなるズームレンズを有することを特徴とする請求項１から７の何れか１項記載の電子撮像装置。
【請求項１１】  以下の条件を満足するズームレンズを有することを特徴とする請求項１０記載の電子撮像装置。
(9)     ０．７５＜Ｒ14／Ｌ＜３  
ただし、Ｒ14は、第１群の物体側から４番目のレンズ面の光軸上の曲率半径、Ｌは、撮像素子の有効撮像領域の対角長である。
【請求項１２】  前記第１群は、物体側から順に、２枚の負レンズと１枚の正レンズと１枚の負レンズとからなるズームレンズを有することを特徴とする請求項１から７の何れか１項記載の電子撮像装置。
【請求項１３】  前記第１群は、物体側から順に、１枚の正レンズと１枚の負レンズと１枚の正レンズとからなり、前記何れか一方の正レンズが非球面を含む弱い屈折力にて構成され、以下の条件を満足するズームレンズを有することを特徴とする請求項１から７の何れか１項記載の電子撮像装置。
(10)    ０＜ｆW ／ｆ1P＜０．３
ただし、ｆ1Pは、第１群の非球面を含む弱い屈折力の正レンズの焦点距離、ｆW はズームレンズ全系の広角端（無限遠物点）の焦点距離である。
【請求項１４】  前記第１群は、物体側から順に、１枚の正レンズと１枚の負メニスカスレンズと負レンズと正レンズの接合レンズ成分とからなるズームレンズを有することを特徴とする請求項１から７の何れか１項記載の電子撮像装置。
【請求項１５】  前記第１群、前記第２群の総厚が以下の条件を満足することを特徴とする請求項１から１４の何れか１項記載の電子撮像装置。
(11)    ０．４＜ｔ1 ／Ｌ＜２．２  
(12)    ０．５＜ｔ2 ／Ｌ＜１．５  
ただし、ｔ1 は、第１群の最も物体側のレンズ面から最も像側のレンズ面までの光軸上での厚み、ｔ2 は、第２群の最も物体側の面から最も像側の面までの光軸上での厚み、Ｌは、撮像素子の有効撮像領域の対角長である。
【請求項１６】  前記ズームレンズ後方にある撮像素子よりも物体側に、波長６００ｎｍでの透過率が８０％以上、波長７００ｎｍでの透過率が１０％以下の近赤外シャープカットコートを有することを特徴とする請求項１から１５の何れか１項記載の電子撮像装置。
【請求項１７】  前記撮像素子のカラー化フィルターとして補色モザイクフィルターを使用することを特徴とする請求項１６記載の電子撮像装置。
【請求項１８】  前記補色モザイクフィルターは少なくとも４種類の色フィルターからなり、それぞれが略同じ数になるように、かつ、隣り合う画素が同じ種類の色フィルターに対応しないようにモザイク状に配置されていることを特徴とする請求項１７記載の電子撮像装置。
【請求項１９】  前記補色モザイクフィルターは少なくとも４種類の色フィルターから構成され、前記４種類の色フィルターの特性は、グリーンの色フイルターＧは波長ＧP に分光強度のピークを有し、イエローの色フィルターＹe は波長ＹP に分光強度のピークを有し、シアンの色ブィルターＣは波長ＣP に分光強度のピークを有し、マゼンダの色フィルターＭは波長ＭP1とＭP2にピークを有し、以下の条件を満足することを特徴とする請求項１７又は１８記載の電子撮像装置。
５１０ｎｍ＜ＧP ＜５４０ｎｍ
５ｎｍ＜ＹP −ＧP ＜３５ｎｍ
−１００ｎｍ＜ＣP −ＧP ＜−５ｎｍ
４３０ｎｍ＜ＭP1＜４８０ｎｍ
５８０ｎｍ＜ＭP2＜６４０ｎｍ
【請求項２０】  前記グリーン、イエロー、シアンの色フィルターはそれぞれの分光強度のピークに対して５３０ｎｍでは８０％以上の強度を有し、前記マゼンダの色フィルターはその分光強度のピークに対して波長５３０ｎｍでは１０％から５０％の強度を有することを特徴とする請求項１９記載の電子撮像装置。    【請求項２１】  前記撮像素子より物体側に配置される光学的ローパスフィルターの総厚ｔLPF が以下の条件を満たすことを特徴とする請求項１から２０の何れか１項記載の電子撮像装置。
(13)    ０．１５×１０3 ＜ｔLPF ／ａ＜０．４５×１０3 
ただし、ａは電子撮像素子の水平画素ピッチである。
【請求項２２】  開口サイズが固定の複数の開口を有し、その中の１つを第１群の最も像側のレンズ面と第３群の最も物体側のレンズ面の間の何れかの光路内に挿入でき、かつ、他のものと交換可能とすることで像面照度を調節することを特徴とする請求項１から２１の何れか１項記載の電子撮像装置。
【請求項２３】  前記複数の開口の中、一部の開口内に波長５５０ｎｍに対する透過率が８０％未満の媒体を有することを特徴とする請求項２２記載の電子撮像装置。
【請求項２４】  ａ／Ｆナンバー＜０．４μｍとなるようなＦ値に相当する光量になるように調節を実施する場合は、開口内に波長５５０ｎｍに対する透過率が８０％未満の媒体を有することを特徴とする請求項２２記載の電子撮像装置。ただし、ａは電子撮像素子の水平画素ピッチである。
【請求項２５】  前記複数の開口の一部にそれぞれ周波数特性の異なる光学的ローパスフィルターを有することを特徴とする請求項２２から２４の何れか１項記載の電子撮像装置。
【請求項２６】  前記ズームレンズの変倍比が２．３以上であることを特徴とする請求項１から２５の何れか１項記載の電子撮像装置。